(57)【要約】【課題】復調器による復調結果の誤り率の測定や復調性能の評価を、ＢＥＲ測定器や変調器等の測定環境を用意することなく実施可能にする。【解決手段】ＰＣ２０に、試験用の変調データを変調した変調信号のデータである判定用ｗａｖデータを記憶する判定用ｗａｖ記憶部２１ａと、試験用の変調データを変調した変調信号に対して外乱を加えた信号のデータである評価用ｗａｖデータを記憶する評価用ｗａｖ記憶部２１ｂと、復調器３０に対するデータ入出力を行う入出力部２６と、復調器３０によるｗａｖデータ（判定用ｗａｖデータ又は評価用ｗａｖデータ）の復調結果についてＢＥＲ値を測定する測定処理部２３と、判定用ｗａｖデータに係るＢＥＲ値に基づいて復調器３０の装置状況を判定する判定処理部２４と、評価用ｗａｖデータに係るＢＥＲ値に復調器３０の復調性能を評価する評価処理部２５と、を備える。【選択図】図２
2012231226.tif 000002
【特許請求の範囲】
【請求項１】
所定の外乱を加えた試験用の変調信号を記憶する記憶手段と、
前記記憶手段に記憶された前記変調信号を復調器へ出力する出力手段と、
前記復調器による復調結果の復調信号について誤り率を測定する測定手段と、
を備えたことを特徴とする測定装置。
【請求項２】
請求項１に記載の測定装置において、
前記測定手段により測定された誤り率と予め設定された基準に基づいて、前記復調器の復調性能を評価する評価手段と、
前記測定手段により測定された誤り率と前記基準、又は、前記評価手段による評価結果の少なくともいずれか一方を表示出力する表示制御手段と、
を備えたことを特徴とする測定装置。
【請求項３】
予め想定された複数の外乱毎に、当該外乱を加えた試験用の変調信号を記憶する記憶手段と、
前記記憶手段に記憶された前記外乱毎の変調信号を復調器へ出力する出力手段と、
前記復調器による変調結果の復調信号について前記外乱毎の誤り率を測定する測定手段と、
前記測定手段により測定された前記外乱毎の誤り率と前記外乱毎に予め設定された基準に基づいて、前記復調器の復調性能を評価する評価手段と、
を備えたことを特徴とするパーソナルコンピュータ。
【発明の詳細な説明】
【技術分野】
【０００１】
本発明は、復調器による復調結果の復調信号について誤り率を測定する技術に関する。
【背景技術】
【０００２】
従来、復調器の復調性能としてＢＥＲ（Ｂｉｔ  Ｅｒｒｏｒ  Ｒａｔｅ；ビット誤り率
）の測定を行う場合、例えば以下のような処理を行っていた。ＢＥＲ測定器から出力される試験用の変調データ（例えば、ＰＮ９段変調データ）を変調器に入力し、変調器による変調処理で得られる変調信号を第１のＡＭＰ（ＡＭＰｌｉｆｉｅｒ）及び第１のＡＴＴ（ＡＴＴｅｎｕａｔｏｒ）でレベル調整して合成器に入力する。また、ホワイトノイズ発生器から出力されるホワイトノイズをＢＰＦ（Ｂａｎｄ−ｐａｓｓ  ｆｉｌｔｅｒ）で帯域制限し、第２のＡＭＰ及び第２のＡＴＴでレベル調整して合成器に入力する。変調信号及びホワイトノイズのレベル調整は、合成器から出力される合成信号をレベル計で測定した結果に基づいて行われる。また、合成器から出力された合成信号にフェージングシミュレータで外乱を付与し、復調器に入力する。復調器による復調処理で得られる復調データをＢＥＲ測定器に入力し、ＢＥＲ測定を行う。
【０００３】
復調器の復調性能を判定する技術に関し、種々の発明が提案されている。
例えば、復調部を有する受信部と復調部の出力信号が供給される誤りビット測定部とを有する無線通信装置であって、復調部は、誤りビット測定用パターン信号を出力し、誤りビット測定部は、復調部から出力される誤りビット測定用パターン信号を記憶する第１のバッファと、第１のバッファに記憶された誤りビット測定用パターン信号の先頭Ｎビットを初期値とする符号生成部と、符号生成部の出力信号を記憶する第２のバッファと、第１のバッファに記憶されている誤りビット測定用パターン信号と第２のバッファに記憶されているデータをＸＯＲ演算するＸＯＲ演算部およびＸＯＲ演算部の出力をカウントするカウンタ部から構成される無線通信装置が提案されている（特許文献１参照）。
【先行技術文献】
【特許文献】
【０００４】
【特許文献１】特開２００６−２９５３５４号公報
【発明の概要】
【発明が解決しようとする課題】
【０００５】
本発明は、復調器による復調結果の誤り率の測定や復調性能の評価を、ＢＥＲ測定器や変調器等の測定環境を用意することなく実施可能にすることを目的とする。
【課題を解決するための手段】
【０００６】
本発明では、上記課題を解決するために、以下のような測定装置及びパーソナルコンピュータを提案する。
すなわち、一構成例として、所定の外乱を加えた試験用の変調信号を記憶する記憶手段と、前記記憶手段に記憶された前記変調信号を復調器へ出力する出力手段と、前記復調器による復調結果の復調信号について誤り率を測定する測定手段と、を備えたことを特徴とする測定装置とする。
【０００７】
また、一構成例として、前記測定装置に、前記測定手段により測定された誤り率と予め設定された基準に基づいて、前記復調器の復調性能を評価する評価手段と、前記測定手段により測定された誤り率と前記基準、又は、前記評価手段による評価結果の少なくともいずれか一方を表示出力する表示制御手段と、を更に備える。
【０００８】
また、一構成例として、予め想定された複数の外乱毎に、当該外乱を加えた試験用の変調信号を記憶する記憶手段と、前記記憶手段に記憶された前記外乱毎の変調信号を復調器へ出力する出力手段と、前記復調器による変調結果の復調信号について前記外乱毎の誤り率を測定する測定手段と、前記測定手段により測定された前記外乱毎の誤り率と前記外乱毎に予め設定された基準に基づいて、前記復調器の復調性能を評価する評価手段と、を備えたことを特徴とするパーソナルコンピュータとする。
【発明の効果】
【０００９】
本発明では、所定の外乱を加えた試験用の変調信号を予め用意しているので、復調器による復調結果の誤り率の測定や復調性能の評価を、ＢＥＲ測定器や変調器等の測定環境を用意することなく実施可能となる。また、各復調器に対して試験用の変調信号として同じものを与えることができるので、各復調器の評価などを共通の条件の下で実施できる。
【図面の簡単な説明】
【００１０】
【図１】無線システムの構成例を示す図である。
【図２】本発明の一実施形態に係る復調性能評価システムの構成例を示す図である。
【図３】判定モードに係る測定画面を例示する図である。
【図４】評価モードに係る測定画面（評価項目として静特性が選択された場合）を例示する図である。
【図５】測定結果の保存例を示す図である。
【図６】評価モードに係る測定画面（評価項目として動特性が選択された場合）を例示する図である。
【図７】評価モードに係る測定画面（評価項目としてＡＦＣが選択された場合）を例示する図である。
【図８】評価項目として静特性が選択された場合の良判定範囲を定めたデータを例示する図である。
【図９】評価項目として動特性が選択された場合の良判定範囲を定めたデータを例示する図である。
【図１０】評価項目としてＡＦＣが選択された場合の良判定範囲を定めたデータを例示する図である。
【図１１】選択可能な変調方式の一覧を例示する図である。
【図１２】選択可能な誤り訂正方式の一覧を例示する図である。
【図１３】評価項目として静特性が選択された場合に用いる評価用ｗａｖデータを例示する図である。
【図１４】評価項目として動特性が選択された場合に用いる評価用ｗａｖデータを例示する図である。
【図１５】評価項目としてＡＦＣが選択された場合に用いる評価用ｗａｖデータを例示する図である。
【図１６】測定方式及び評価項目の各組み合わせについてＢＥＲ測定を行う場合の処理フローを例示する図である。
【発明を実施するための形態】
【００１１】
本発明の一実施形態について図面を参照して説明する。
図１には、無線システムの構成例を示してある。
本例の無線システムでは、データ通信に係るＰＣ（パーソナルコンピュータ）１１や音声通信に係るヘッドセット１２から出力される通信データを、変調器１３により変調信号に変調して送信機１４により無線送信する。また、受信機１５により無線受信された変調信号を、復調器１６により復調してＰＣ１７によりデータ出力し、或いはヘッドセット１８により音声出力する。なお、図１の例では、変調機能を備えた変調器１３と、復調機能を備えた復調器１６とを用いているが、変調機能及び復調機能を一体に備えた変復調器を用いてもよい。
【００１２】
図２には、本発明の一実施形態に係る復調性能評価システムの構成例を示してある。
本例の復調性能評価システムは、本発明に係る測定装置として動作するＰＣ２０と、測定対象となる復調器３０とを備え、復調器３０の復調性能の評価などをＰＣ２０により実施するものであり、その実施の度にＢＥＲ測定器や変調器等の測定環境を用意する必要性を無くして、従来方式に比べて簡易に復調性能の評価などを行えるようにしている。
【００１３】
本例のＰＣ２０は、試験用の変調信号のデータであるｗａｖデータを記憶するメモリ２１、各種処理を制御する処理制御部２２、復調器３０に対するデータ入出力を行う入出力部２６、各種情報を表示するモニタ２８、モニタ２８の表示内容を制御する表示制御部２７などの機能部を備えている。
また、処理制御部２２は、復調器３０によるｗａｖデータの復調結果について誤り率を測定する測定処理部２３、測定結果の誤り率に基づいて復調器３０の装置状況を判定する判定処理部２４、測定結果の誤り率に基づいて復調器３０の復調性能を評価する評価処理部２５、を有する。
本例では、誤り率としてＢＥＲを用いるが、他の形式の誤り率を用いてもよい。
【００１４】
本例のＰＣ２０では、本発明に係る測定装置としてコンピュータを動作させるためのプログラムの一例であるＢＥＲ測定ソフトウェアを、ＨＤＤ（Ｈａｒｄ  Ｄｉｓｋ  Ｄｒｉｖｅ）等の補助記憶装置から読み出してＲＡＭ（Ｒａｎｄｏｍ  Ａｃｃｅｓｓ  Ｍｅｍｏｒｙ）に展開し、これをＣＰＵにより実行することで、本発明に係る測定装置の各機能をＰＣ２０上に実現させている。
なお、本発明に係る測定装置は、このようなソフトウェア構成により実現するのではなく、各機能を専用のハードウェアモジュールにより実現するようにしてもよい。
また、本例のように、１台の装置（ＰＣ２０）に本発明に係る測定装置の各機能を設けるのではなく、複数台の装置に分散するようにしてもよく、例えば、ｗａｖデータを記憶するデータサーバを別途用意し、当該データサーバからｗａｖデータを読み出すようにしてもよい。
【００１５】
本例のＰＣ２０（測定装置）は、復調器３０の装置状況を判定する判定モードと、復調器３０の復調性能を評価する評価モードとを有しており、それぞれのモードでは異なるｗａｖデータを用いる。
判定モードで用いる判定用ｗａｖデータは、試験用の変調データ（本例では、ＰＮ９段変調データ）を変調した変調信号のデータであり、メモリ２１の判定用ｗａｖ記憶部２１ａに記憶される。
評価モードで用いる評価用ｗａｖデータは、試験用の変調データを変調した変調信号に対して外乱を加えた信号のデータであり、メモリ２１の評価用ｗａｖ記憶部２１ｂに記憶される。
【００１６】
ここで、評価用ｗａｖデータは、ＢＥＲ測定器や変調器等の測定環境を用いて事前に生成しておいたものである。すなわち、例えば、ＢＥＲ測定器から出力される試験用の変調データ（例えば、ＰＮ９段変調データ）を変調器に入力し、変調器による変調処理で得られる変調信号を第１のＡＭＰ及び第１のＡＴＴでレベル調整して合成器に入力する。また、ホワイトノイズ発生器から出力されるホワイトノイズをＢＰＦで帯域制限し、第２のＡＭＰ及び第２のＡＴＴでレベル調整して合成器に入力する。なお、変調信号及びホワイトノイズのレベル調整は、合成器から出力される合成信号をレベル計で測定した結果に基づいて行われる。そして、合成器から出力された合成信号にフェージングシミュレータで外乱を付与した結果のデータを取得して、評価用ｗａｖデータとして記録する。
【００１７】
本例では、測定方式及び評価項目の組み合わせ毎に、Ｓ／Ｎ比（Ｓｉｇｎａｌ  ｔｏ  Ｎｏｉｓｅ  ｒａｔｉｏ）を異ならせた複数の評価用ｗａｖデータを用意している。
測定方式としては、図１１に例示するような変調方式と、図１２に例示するような誤り訂正方式との組み合わせが用いられる。
評価項目としては、例えば、静特性、動特性、ＡＦＣ（Ａｕｔｏ  Ｆｒｅｑｕｅｎｃｙ  Ｃｏｎｔｒｏｌ）などが挙げられる。
なお、評価項目が動特性の場合には、ドップラシフト量及び遅延量の組み合わせ毎に、Ｓ／Ｎ比を異ならせた複数の評価用ｗａｖデータが用意される。また、評価項目がＡＦＣの場合には、周波数ずれ幅毎に、Ｓ／Ｎ比を異ならせた複数の評価用ｗａｖデータが用意される。
【００１８】
本例のＰＣ２０（測定装置）は、処理制御部２２による制御の下、以下のような動作を行う。なお、本例のＰＣ２０は、復調器３０とのデータ通信を入出力部２６により行い、モニタ２８における表示出力を表示制御部２７により行っており、以下の説明では、これらの処理について適宜省略する。
【００１９】
ＰＣ２０は、復調器３０がケーブル等で接続された状態で測定者（ＰＣ２０の利用者）から受け付けた指示（或いは復調器３０の接続の検出）に応じて、当該接続された復調器３０へＢＥＲ測定装置接続通知を送信して、判定モードの開始を準備する。
復調器３０は、ＰＣ２０からＢＥＲ測定装置接続通知を受信すると、その応答として、自己の装置名をＰＣ２０へ送信する。装置名は、数値等（例えば製品番号）で予め定義されており、復調器３０のメモリ内に保持されている。なお、復調器３０は、ＢＥＲ測定装置接続通知の応答として装置名を送信すると共に、自己が対応可能な測定方式をＰＣ２０へ送信するようにしてもよい。
【００２０】
ＰＣ２０は、復調器３０から装置名を受信すると、当該装置名をモニタ２８に表示出力して判定モードの開始指示を待ち、測定者から判定モードの開始指示を受け付けたことに応じて、判定モードを開始する。
ＰＣ２０は、判定モードを開始すると、復調器３０へ測定開始及び測定方式（変調方式及び誤り訂正方式）を通知し、測定方式毎にメモリ２１の判定用ｗａｖ記憶部２１ａに予め保持していた判定用ｗａｖデータを復調器３０へ送信（出力）する。なお、復調器３０から当該復調器３０が対応可能な測定方式が送信された場合には、その中から測定方式を選択して測定方式の通知と該当する判定用ｗａｖデータの送信（出力）を行う。
【００２１】
復調器３０は、ＰＣ２０から測定開始及び測定方式の通知と判定用ｗａｖデータを受信すると、当該測定方式に応じた復調処理を判定用ｗａｖデータに対して施し、復調結果として得られる復調信号をＰＣ２０へ送信（出力）する。
ＰＣ２０は、復調器３０から受信した復調信号についてのＢＥＲ値を測定処理部２３により測定し、当該ＢＥＲ値に基づいて復調器３０の装置状況を判定処理部２４により判定する。判定処理部２４では、測定されたＢＥＲ値を参照してエラーフリー（エラー無し）か否かを調べ、エラーフリーの場合には装置状況を“良”と判定する一方、エラーフリーでない場合（エラー発生時の場合）には装置状況を“不良”と判定する。
【００２２】
ＰＣ２０は、判定処理部２４による判定結果をモニタ２８に表示出力して評価モードの開始指示を待ち、測定者から評価モードの開始指示を受け付けたことに応じて、判定モードを開始する。なお、評価モードの開始（移行）指示の受け付けは、装置状況が“良”である場合にのみ許容される。
ＰＣ２０は、評価モードを開始すると、復調器３０へ測定開始及び測定方式（変調方式及び誤り訂正方式）を通知し、測定方式及び評価項目毎にメモリ２１の評価用ｗａｖ記憶部２１ｂに予め保持していた評価用ｗａｖデータを復調器３０へ送信（出力）する。なお、復調器３０から当該復調器３０が対応可能な測定方式が送信された場合には、その中から測定方式を選択して測定方式及び評価項目の通知と該当する評価用ｗａｖデータの送信（出力）を行う。
【００２３】
復調器３０は、ＰＣ２０から測定開始及び測定方式の通知と評価用ｗａｖデータを受信すると、当該測定方式に応じた復調処理を評価用ｗａｖデータに対して施し、復調結果として得られる復調信号をＰＣ２０へ送信（出力）する。
ＰＣ２０は、復調器３０から受信した復調信号についてのＢＥＲ値を測定処理部２３により測定し、当該ＢＥＲ値に基づいて復調器３０の復調性能を評価処理部２５により評価する。評価処理部２５では、測定されたＢＥＲ値と予め基準として設定された良判定範囲（復調性能を“良”と判定するＢＥＲ値の範囲）とを比較し、ＢＥＲ値が良判定範囲の範囲内であれば復調性能を“良”と評価し、ＢＥＲ値が良判定範囲の範囲外であれば復調性能を“不良”と評価する。
ＰＣ２０は、評価処理部２５による評価結果をモニタ２８に表示出力する。
【００２４】
上述した一連の動作においてＰＣ２０のモニタ２８に表示出力される画面について説明する。
図３には、判定モードに係る測定画面４０を例示してあり、図４には、評価モードに係る測定画面５０を例示してある。
【００２５】
本例の測定画面４０は、測定者からの指示（或いは復調器３０の接続の検出）に応じてモニタ２８に表示される画面であり、装置名表示部４１、判定開始指示部４２、装置状況表示部４３、評価開始指示部４４を有する。
装置名表示部４１は、復調器３０から受信した装置名を表示する表示部である。
判定開始指示部４２は、判定モードの開始指示を測定者から受け付ける操作部であり、装置名表示部４１による装置名の表示後に操作可能となる。
装置状況表示部４３は、判定処理部２４による判定結果（復調器３０の装置状況）を表示する表示部であり、“良”又は“不良”が表示される。
評価開始指示部４４は、評価モードの開始指示を測定者から受け付ける操作部であり、装置状況表示部４３による装置状況の表示後に操作可能となる。
【００２６】
本例の測定画面５０は、測定画面４０の評価開始指示部４４が押下されたことに応じてモニタ２８に表示される画面であり、装置名表示部５１、測定方式・評価項目選択部５２、測定開始指示部５３、測定結果表示部５４、測定結果グラフ表示部５５、復調性能表示部５６、印刷指示部５７、保存指示部５８を有する。
【００２７】
装置名表示部５１は、復調器３０から受信した装置名を表示する表示部である。
測定方式・評価項目選択部５２は、測定方式及び評価項目の選択を測定者から受け付ける操作部である。本例の測定方式・評価項目選択部５２は、測定方式（変調方式及び誤り訂正方式）の選択を受け付ける変調方式選択部５２ａ及び誤り訂正方式選択部５２ｂと、評価項目の選択を受け付ける評価項目選択部５２ｃとにより構成されている。
【００２８】
本例の変調方式選択部５２ａは、図１１に例示する変調方式一覧の中から変調方式の選択を受け付ける。図１１には、選択可能な変調方式として、ＦＳＫ、ＡＳＫ、ＧＭＳＫ、ＳＰＭ、ＢＰＳＫ、ＱＰＳＫ、８ＰＳＫ、１６ＱＡＭ、３２ＱＡＭ、６４ＱＡＭ、ＦＤＭ、ＯＦＤＭを示してある。
本例の誤り訂正方式選択部５２ｂは、図１２に例示する誤り訂正方式一覧の中から誤り訂正方式の選択を受け付ける。図１２には、選択可能な誤り訂正方式として、ハミング符号、ＢＣＨ符号、ＣＲＣ符号、Ｇｏｌａｙ符号、リードソロモン符号、ファイア符号、ＬＤＰＣ符号、ワイナー・アッシュ符号、畳込み符号とビタビ復号、畳込み符号と逐次復号、畳込み符号と閾値復号、自己直交復号、ハーゲルバーガー復号、岩垂符号、ターボ符号、積符号、ＢＩＣＭ  ＩＤを示してある。
本例の評価項目選択部５２ｃは、静特性、動特性、ＡＦＣの中から評価項目の選択を受け付ける。
【００２９】
測定開始指示部５３は、測定方式・評価項目選択部５２により選択された測定方式及び評価項目に関するＢＥＲ測定の開始指示を測定者から受け付ける操作部である。
測定結果表示部５４は、測定処理部２３による測定結果（ＢＥＲ値）を一覧表示する表示部である。本例では、選択された測定方式及び評価項目について、Ｓ／Ｎ比を０ｄＢ〜６０ｄＢの範囲で変化させたＳ／Ｎ比毎の評価用ｗａｖデータを用いてＢＥＲ測定を行い、その結果測定されたＳ／Ｎ比毎のＢＥＲ値を一覧表示している。
測定結果グラフ表示部５５は、測定処理部２３による測定結果（ＢＥＲ値）を良判定範囲と共にグラフ表示する表示部であり、図４の例では、横軸をＳ／Ｎ比とし、縦軸をＢＥＲとした２次元グラフを用いて測定結果のＢＥＲ値５５ａと良判定範囲５５ｂとを示してある。
【００３０】
ここで、図４の例は、評価項目として静特性が選択された場合のものであり、この場合のＢＥＲ測定には、測定方式別に用意された図１３に例示するような評価用ｗａｖデータが用いられる。すなわち、測定方式別に用意されたＳ／Ｎ比毎の評価用ｗａｖデータの中から、選択された測定方式におけるＳ／Ｎ比毎の評価用ｗａｖデータを特定し、Ｓ／Ｎ比順に評価用ｗａｖデータを切り替えながらＢＥＲ測定を行う。本例では、静特性の場合の良判定範囲について、図８に例示するように、ＢＥＲ値の上限及び下限をＳ／Ｎ比毎に定めたデータをＰＣ２０のメモリ内に予め設定（記憶）しており、当該データを参照して復調性能を判定する。静特性の場合の良判定範囲としては、例えば、理論値と理論値−３ｄＢとの間の範囲が用いられる。
【００３１】
復調性能表示部５６は、評価処理部２５による評価結果（復調器３０の復調性能）を表示する表示部であり、“良”又は“不良”が表示される。本例では、Ｓ／Ｎ比毎のＢＥＲ値が全て良判定範囲内である場合に“良”と表示し、いずれかのＢＥＲ値が良判定範囲外である場合に“不良”と表示する。
【００３２】
印刷指示部５７は、測定処理部２３による測定結果（ＢＥＲ値）等の印刷指示を測定者から受け付ける操作部である。印刷指示がなされた場合には、印刷対象に設定された項目を印刷出力する。印刷する項目としては、例えば、復調器３０の装置名、選択された測定方式及び評価項目、測定結果のＢＥＲ値の一覧やグラフなどが挙げられる。
【００３３】
保存指示部５８は、測定処理部２３による測定結果（ＢＥＲ値）等の保存指示を測定者から受け付ける操作部である。保存指示がなされた場合には、印刷対象に設定された項目を記録したファイル（例えば、ＣＳＶ（Ｃｏｍｍａ  Ｓｅｐａｒａｔｅｄ  Ｖａｌｕｅｓ）形式のファイル）を作成し、保存用フォルダに格納する。ファイルに記録する項目としては、例えば、復調器３０の装置名、選択された測定方式及び評価項目、測定結果のＢＥＲ値の一覧などが挙げられる。
【００３４】
図５には、測定結果の保存例を示してある。
本例のＰＣ２０は、測定対象の復調器３０について測定方式（変調方式及び誤り訂正方式）毎に１つのＣＳＶファイルを作成して、当該ＣＳＶファイルに評価項目毎の測定結果（ＢＥＲ値）を記録している。図５では、変調方式としてＢＰＳＫを用いた場合の測定結果を記録したＣＳＶファイルＦ１、変調方式としてＱＰＳＫを用いた場合の測定結果を記録したＣＳＶファイルＦ２、変調方式として８ＰＳＫを用いた場合の測定結果を記録したＣＳＶファイルＦ３、変調方式として１６ＱＡＭを用いた場合の測定結果を記録したＣＳＶファイルＦ４を例示してある。なお、図５の保存例は一例に過ぎず、例えば、測定対象の復調器３０について測定方式及び評価項目毎に別ファイルとするようにしてもよい。
【００３５】
図６には、評価項目として動特性が選択された場合の測定画面５０を例示してある。
動特性について評価する場合にはドップラシフト量及び遅延量の指定が必要となるため、評価項目選択部５２ｃにおいて動特性が選択された場合には、ドップラシフト量（Ｈｚ）及び遅延量（ｍｓ）の指定を受け付けるドップラシフト・遅延量指定部５２ｄを更に設け、当該ドップラシフト・遅延量指定部５２ｄによりドップラシフト量及び遅延量の指定を受け付けるようにしている。本例では、ドップラシフト量の指定を０Ｈｚ〜１０００Ｈｚの範囲内で受け付け、遅延量の指定を０ｍｓ〜１００ｍｓの範囲内で受け付けている。
【００３６】
評価項目として動特性が選択された場合のＢＥＲ測定は、測定方式別に用意された図１４に例示するような評価用ｗａｖデータを用いて行われる。すなわち、測定方式別に用意されたドップラシフト量及び遅延量及びＳ／Ｎ比毎の評価用ｗａｖデータの中から、選択された測定方式で且つ指定されたドップラシフト量及び遅延量におけるＳ／Ｎ比毎の評価用ｗａｖデータを特定し、Ｓ／Ｎ比順に評価用ｗａｖデータを切り替えながらＢＥＲ測定を行う。また、動特性の場合の良判定範囲について、図９に例示するように、ドップラシフト量及び遅延量の各組み合わせについてＢＥＲ値の上限及び下限をＳ／Ｎ比毎に定めたデータをＰＣ２０のメモリ内に予め設定（記憶）しており、当該データを参照して復調性能を判定する。
【００３７】
図７には、評価項目としてＡＦＣが選択された場合の測定画面５０を例示してある。
ＡＦＣについて評価する場合には周波数ずれ幅の指定が必要となるため、評価項目選択部５２ｃにおいてＡＦＣが選択された場合には、周波数ずれ幅（Ｈｚ）の指定を受け付ける周波数ずれ幅指定部５２ｅを更に設け、当該周波数ずれ幅指定部５２ｅにより周波数ずれ幅の指定を受け付けるようにしている。本例では、周波数ずれ幅の指定を−１００Ｈｚ〜１００Ｈｚの範囲内で受け付けている。
【００３８】
評価項目としてＡＦＣが選択された場合のＢＥＲ測定は、測定方式別に用意された図１５に例示するような評価用ｗａｖデータを用いて行われる。すなわち、測定方式別に用意された周波数ずれ幅及びＳ／Ｎ比毎の評価用ｗａｖデータの中から、選択された測定方式で且つ指定された周波数ずれ幅におけるＳ／Ｎ比毎の評価用ｗａｖデータを特定し、Ｓ／Ｎ比順に評価用ｗａｖデータを切り替えながらＢＥＲ測定を行う。また、ＡＦＣの場合の良判定範囲について、図１０に例示するように、各周波数ずれ幅についてＢＥＲ値の上限及び下限をＳ／Ｎ比毎に定めたデータをＰＣ２０のメモリ内に予め設定（記憶）しており、当該データを参照して復調性能を判定する。
【００３９】
なお、上記の説明で用いた判定モードに係る測定画面５０（図４、図６、図７）は一例であり、例えば、測定結果表示部５４、測定結果グラフ表示部５５、復調性能表示部５６の全てを設ける構成に代えてこれら表示部５４〜５６の１以上を設ける構成や、他の態様によりＢＥＲ測定の結果や復調性能の判定結果を表示する構成を採用してもよい。
【００４０】
また、上記の説明では、測定方式及び評価項目を個別に測定者が選択してＢＥＲ測定を行っているが、例えば、測定者から測定方式のみ選択を受け付け、当該測定方式について各評価項目のＢＥＲ測定を自動的に行うようにしてもよい。また、測定者から測定方式及び評価項目などの選択を受け付けず、全ての測定方式及び評価項目の組み合わせについてＢＥＲ測定を行うようにしてもよく、この場合の処理について図１６に例示する処理フローを参照して説明する。
【００４１】
ＰＣ２０は、ケーブル等で接続された復調器３０に対してＢＥＲ測定装置接続通知を送信し（ステップＳ１１）、その応答として装置名を受信するまで待機する（ステップＳ１２）。本例では、復調器３０から装置名を受信すると共に、当該復調器３０で対応可能な測定方式の通知も受ける（ステップＳ１３）。
ＰＣ２０は、復調器３０から受信した装置名をモニタ２８に表示してＢＥＲ測定の開始指示を測定者から受け付けると、以下の処理を行う。
【００４２】
まず、静特性に係るＢＥＲ測定の開始を復調器３０に通知する（ステップＳ１４）。
静特性に係るＢＥＲ測定では、復調器３０から通知された全ての測定方式について、測定方式及びＳ／Ｎ比毎の評価用ｗａｖデータを１つずつ復調器３０に送信し、その復調結果の復調信号を復調器３０から受信してＢＥＲ値を算出する処理（ステップＳ１５，Ｓ１６）を、通知された各測定方式及び各Ｓ／Ｎ比の全ての組み合わせについてＢＥＲ値が取得されるまで繰り返す（ステップＳ１７）。
【００４３】
次に、動特性に係るＢＥＲ測定の開始を復調器３０に通知する（ステップＳ１８）。
動特性に係るＢＥＲ測定では、復調器３０から通知された全ての測定方式について、測定方式及びドップラシフト量及び遅延量及びＳ／Ｎ比毎の評価用ｗａｖデータを１つずつ復調器３０に送信し、その復調結果の復調信号を復調器３０から受信してＢＥＲ値を算出する処理（ステップＳ１９，Ｓ２０）を、通知された各測定方式及び各ドップラシフト量及び各遅延量及び各Ｓ／Ｎ比の全ての組み合わせについてＢＥＲ値が取得されるまで繰り返す（ステップＳ２１）。
【００４４】
次に、ＡＦＣに係るＢＥＲ測定の開始を復調器３０に通知する（ステップＳ２２）。
ＡＦＣに係るＢＥＲ測定では、復調器３０から通知された全ての測定方式について、測定方式及び周波数ずれ幅及びＳ／Ｎ比毎の評価用ｗａｖデータを１つずつ復調器３０に送信し、その復調結果の復調信号を復調器３０から受信してＢＥＲ値を算出する処理（ステップＳ２３，Ｓ２４）を、通知された各測定方式及び各周波数ずれ幅及び各Ｓ／Ｎ比の全ての組み合わせについてＢＥＲ値が取得されるまで繰り返す（ステップＳ２５）。
【００４５】
静特性、動特性、ＡＦＣの全ての評価項目についてＢＥＲ測定を終えると、復調器３０に対してＢＥＲ測定の終了を通知し（ステップＳ２６）、測定結果をモニタ２８に表示出力する（ステップＳ２７）。また、測定結果の印刷を可能な状態とし（例えば、印刷指示部５７を操作可能とする）（ステップＳ２８）、測定結果の保存を可能な状態とし（例えば、保存指示部５８を操作可能とする）（ステップＳ２９）、処理を終了する（ステップＳ３０）。
【００４６】
以上説明したように、本例では、ＢＥＲ測定器や変調器等の測定環境を用いて事前に生成しておいた評価用ｗａｖデータを保持しておき、これを測定対象の復調器３０に与えて復調させた結果の復調信号からＢＥＲ値を測定するようにしているため、当該復調器３０に係るＢＥＲ測定や復調性能の評価を、ＢＥＲ測定器等の測定環境を個別に用意することなく実施できる。したがって、復調器３０の故障調査やメンテナンス等の作業を簡易に実施可能となる。
また、複数の復調器３０についてのＢＥＲ測定などを行う場合に、それぞれの復調器３０に対して評価用ｗａｖデータとして同じものを与えることができるので、各復調器３０についてのＢＥＲ測定などを共通の条件の下で実施できる。
また、各評価項目に係るＢＥＲ測定などを自動的に行うようにすれば、作業効率の更なる向上を図ることができる。
【符号の説明】
【００４７】
１１，１７：ＰＣ（パーソナルコンピュータ）、  １２，１８：ヘッドセット、  １３：変調器、  １４：送信機、  １５：受信機、  １６：復調器、
２０：ＰＣ、  ２１：メモリ、  ２１ａ：判定用ｗａｖ記憶部、  ２１ｂ：評価用ｗａｖ記憶部、  ２２：処理制御部、  ２３：測定処理部、  ２４：判定処理部、  ２５：評価処理部、  ２６：入出力部、  ２７：表示制御部、  ２８：モニタ、  ３０：復調器
【図１】
2012231226.tif 000003
【図２】
2012231226.tif 000004
【図３】
2012231226.tif 000005
【図４】
2012231226.tif 000006
【図５】
2012231226.tif 000007
【図６】
2012231226.tif 000008
【図７】
2012231226.tif 000009
【図８】
2012231226.tif 000010
【図９】
2012231226.tif 000011
【図１０】
2012231226.tif 000012
【図１１】
2012231226.tif 000013
【図１２】
2012231226.tif 000014
【図１３】
2012231226.tif 000015
【図１４】
2012231226.tif 000016
【図１５】
2012231226.tif 000017
【図１６】
2012231226.tif 000018